(57)【要約】【課題】  強度が高く、且つ形態のバリエーションやデザイン性の優れた家具の提供。【解決手段】  複数のパネル１と、パネルの幅方向の端部同士を連結する複数の連結具２ａ，２ｂ，２ｃ，２ｄ，２ｅとを備え、パネル１は、押出成形により形成したものであって、幅方向の端部に係合部４を長手方向に沿って有し、連結具２ａ，２ｂ，２ｃ，２ｄ，２ｅは、押出成形により形成したものであって、複数の被係合部１４を有し、パネル１の係合部４を連結具２ａ，２ｂ，２ｃ，２ｄ，２ｅの被係合部１４に長手方向に沿って係合し、パネル１を連結具２ａ，２ｂ，２ｃ，２ｄ，２ｅを介して三角形１９が組み合わさったトラス状の配置で連結自在とした。【選択図】      図１
2010110611.tif 000002
【特許請求の範囲】
【請求項１】
複数のパネルと、パネルの幅方向の端部同士を連結する複数の連結具とを備え、パネルは、押出成形により形成したものであって、幅方向の端部に係合部を長手方向に沿って有し、連結具は、押出成形により形成したものであって、複数の被係合部を有し、パネルの係合部を連結具の被係合部に長手方向に沿って係合し、３枚のパネルを連結具を介して三角形に連結した部分を有することを特徴とする家具。
【請求項２】
連結具は、被係合部が２〜６つ設けてあり、パネルを連結具を介して三角形が組み合わさったトラス状の配置で連結自在としたことを特徴とする請求項１記載の家具。
【請求項３】
連結具は、被係合部が６０°の角度間隔をあけて設けてあることを特徴とする請求項１又は２記載の家具。
【請求項４】
パネルは、同一断面形状の２枚の中空押出パネルを表裏を逆にした状態で幅方向に連結して構成してあることを特徴とする請求項１，２又は３記載の家具。
【請求項５】
中空押出パネルは、幅方向の一端部に連結具との係合部を有し、他端部に中空押出パネル同士の連結部を有し、連結部は、パネルの表側の壁と裏側の壁のうちの一方の壁のみがパネルの幅方向に突出しているとともに、パネルの幅方向に間隔をおいて且つパネルの厚み方向に段違い状に配置した複数の係合爪を有し、表裏を逆にした２枚の中空押出パネルの係合爪を長手方向から互いに係合して中空押出パネル同士を連結していることを特徴とする請求項４記載の家具。
【請求項６】
連結部は、一方の壁よりパネル内側に突出し、連結する相手側の中空押出パネルの一方の壁の裏面に当接する当接部を有していることを特徴とする請求項５記載の家具。
【請求項７】
連結部は、一方の壁よりパネル内側に突出した短い係合爪と長い係合爪とを有し、一方の中空押出パネルの短い係合爪と他方の中空押出パネルの長い係合爪とを係合し、一方の中空押出パネルの長い係合爪と他方の中空押出パネルの短い係合爪とを係合しており、一方の中空押出パネルの長い係合爪と他方の中空押出パネルの長い係合爪との間に固定具を挿入し、中空押出パネル同士が長手方向に相互にずれないように固定していることを特徴とする請求項５又は６記載の家具。
【請求項８】
パネルの係合部は、奥側が広くなった係合溝となっており、係合溝の底面に凹溝が長手方向に沿って形成してあり、連結具の被係合部は、係合溝と嵌合する突条となっており、突条の先端面に凹溝が長手方向に沿って形成してあり、パネル側の凹溝と連結具側の凹溝との間に固定具を挿入し、パネルと連結具とが長手方向に相互にずれないように固定していることを特徴とする請求項１，２，３，４，５，６又は７記載の家具。
【請求項９】
パネルの係合部と連結具の被係合部との間の空間に固定具を挿入し、パネルと連結具とが長手方向に相互にずれるのを防止してあり、固定具は、長さの異なる２本の足部を有する略Ｕ字状であって、開放端側から挿入するものであり、挿入前の幅寸法がパネルの係合部と連結具の被係合部との間の空間よりも大きいことを特徴とする請求項１，２，３，４，５，６，７又は８記載の家具。
【発明の詳細な説明】
【技術分野】
【０００１】
本発明は、パネルを連結具を介して連結して様々な形態に組み立てできるラック、ベンチ等の家具に関する。
【背景技術】
【０００２】
特許文献１〜３には、板材を直角に連結して収納家具を構成する連結具が開示されている。これらの連結具を使用して組み立てられる収納家具は、正面から見て正方形が上下左右に並ぶ形になる。このような収納家具は、横方向から力が加わると各正方形が平行四辺形に歪み、変形しやすいものであった。また、正方形が上下左右に並ぶ直線的な形態にしか構成できず、形態のバリエーションやデザイン性が乏しかった。
【先行技術文献】
【特許文献】
【０００３】
【特許文献１】意匠登録第９７０２９３号公報
【特許文献２】意匠登録第９７０２９５号公報
【特許文献３】意匠登録第９７０２９６号公報
【発明の概要】
【発明が解決しようとする課題】
【０００４】
本発明は以上に述べた実情に鑑み、強度が高く、且つ形態のバリエーションやデザイン性の優れた家具の提供を目的とする。
【課題を解決するための手段】
【０００５】
上記の課題を達成するために請求項１記載の発明による家具は、複数のパネルと、パネルの幅方向の端部同士を連結する複数の連結具とを備え、パネルは、押出成形により形成したものであって、幅方向の端部に係合部を長手方向に沿って有し、連結具は、押出成形により形成したものであって、複数の被係合部を有し、パネルの係合部を連結具の被係合部に長手方向に沿って係合し、３枚のパネルを連結具を介して三角形に連結した部分を有することを特徴とする。
【０００６】
請求項２記載の発明による家具は、請求項１記載の発明の構成に加え、連結具は、被係合部が２〜６つ設けてあり、パネルを連結具を介して三角形が組み合わさったトラス状の配置で連結自在としたことを特徴とする。
【０００７】
請求項３記載の発明による家具は、請求項１又は２記載の発明の構成に加え、連結具は、被係合部が６０°の角度間隔をあけて設けてあることを特徴とする。
【０００８】
請求項４記載の発明による家具は、請求項１，２又は３記載の発明の構成に加え、パネルは、同一断面形状の２枚の中空押出パネルを表裏を逆にした状態で幅方向に連結して構成してあることを特徴とする。
【０００９】
請求項５記載の発明による家具は、請求項４記載の発明の構成に加え、中空押出パネルは、幅方向の一端部に連結具との係合部を有し、他端部に中空押出パネル同士の連結部を有し、連結部は、パネルの表側の壁と裏側の壁のうちの一方の壁のみがパネルの幅方向に突出しているとともに、パネルの幅方向に間隔をおいて且つパネルの厚み方向に段違い状に配置した複数の係合爪を有し、表裏を逆にした２枚の中空押出パネルの係合爪を長手方向から互いに係合して中空押出パネル同士を連結していることを特徴とする。
【００１０】
請求項６記載の発明による家具は、請求項５記載の発明の構成に加え、連結部は、一方の壁よりパネル内側に突出し、連結する相手側の中空押出パネルの一方の壁の裏面に当接する当接部を有していることを特徴とする。
【００１１】
請求項７記載の発明による家具は、請求項５又は６記載の発明の構成に加え、連結部は、一方の壁よりパネル内側に突出した短い係合爪と長い係合爪とを有し、一方の中空押出パネルの短い係合爪と他方の中空押出パネルの長い係合爪とを係合し、一方の中空押出パネルの長い係合爪と他方の中空押出パネルの短い係合爪とを係合しており、一方の中空押出パネルの長い係合爪と他方の中空押出パネルの長い係合爪との間に固定具を挿入し、中空押出パネル同士が長手方向に相互にずれないように固定していることを特徴とする。
【００１２】
請求項８記載の発明による家具は、請求項１，２，３，４，５，６又は７記載の発明の構成に加え、パネルの係合部は、奥側が広くなった係合溝となっており、係合溝の底面に凹溝が長手方向に沿って形成してあり、連結具の被係合部は、係合溝と嵌合する突条となっており、突条の先端面に凹溝が長手方向に沿って形成してあり、パネル側の凹溝と連結具側の凹溝との間に固定具を挿入し、パネルと連結具とが長手方向に相互にずれないように固定していることを特徴とする。
【００１３】
請求項９記載の発明による家具は、請求項１，２，３，４，５，６，７又は８記載の発明の構成に加え、パネルの係合部と連結具の被係合部との間の空間に固定具を挿入し、パネルと連結具とが長手方向に相互にずれるのを防止してあり、固定具は、長さの異なる２本の足部を有する略Ｕ字状であって、開放端側から挿入するものであり、挿入前の幅寸法がパネルの係合部と連結具の被係合部との間の空間よりも大きいことを特徴とする。
【発明の効果】
【００１４】
請求項１記載の発明による家具は、パネルを連結具を介して三角形に連結することで、横方向からの力が加わっても変形し難い強度の高いものとなり、また見た目にも斬新でデザイン性の優れたものとなる。さらに本発明の家具は、三角形の部分を組合わせることにより様々な形態とすることができる。また本発明の家具は、パネルの係合部を連結具の被係合部に長手方向に沿って係合することで容易に組立てることができる。パネルと連結具をいずれも押出成形により形成したので、パネルと連結具を適宜長さに切断するだけで容易に製作できる。
【００１５】
請求項２記載の発明による家具は、パネルを連結具を介して三角形が組み合わさったトラス状の配置で連結することで、横方向からの力が加わっても変形し難い強度の高いものとなる。また、三角形を自由に組合わせて様々な形態の家具を構成でき、後からパネルを増設したり組み替えたりすることもできる。
【００１６】
請求項３記載の発明による家具は、連結具に被係合部が６０°の角度間隔をあけて設けてあることで、同一幅のパネルで正三角形を形作るように連結でき、デザイン性や拡張性が一層向上する。
【００１７】
請求項４記載の発明による家具は、各パネルを同一断面形状の２枚の中空押出パネルを表裏を逆にした状態で幅方向に連結して構成することで、押出成形により形成されるパネルの幅を大きくすることができ、また一種類の中空押出パネルのみを製作すればよいためコストを削減できる。
【００１８】
請求項５記載の発明によれば、２枚の中空押出パネルを連結部でパネルの幅方向や厚み方向にずれたり、連結部で折れ曲がったりすることがないように確実に連結できる。
【００１９】
さらに請求項６記載の発明による家具は、当接部により中空押出パネルが連結部でパネル厚み方向にずれたり折れ曲がったりするのを規制し、中空押出パネルの連結強度を一層高められる。
【００２０】
請求項７記載の発明によれば、連結した２枚の中空押出パネルが長手方向に相互にずれることがなく、中空押出パネル同士を簡易且つ確実に固定できる。
【００２１】
請求項８記載の発明によれば、パネルと連結具とが長手方向に相互にずれることがなく、パネルと連結具とを簡易且つ確実に固定できる。
【００２２】
請求項９記載の発明は、パネルと連結具とを固定する固定具を、長さの異なる２本の足部を有する略Ｕ字状で、挿入前の幅寸法がパネルの係合部と連結具の被係合部との間の空間よりも大きいものとしてあり、この固定具は長い方の足部のみを先に前記空間に挿入し、開放端側の幅を狭めるように変形させながら押し込むことで、狭い空間へも容易に挿入でき、挿入すると固定具は幅が狭まるように弾性変形して空間内で突っ張るため、パネルと連結具とが長手方向に相互にずれるのを防止できる。また、先の尖った工具等を固定具のＵ字状に曲がった部分に引っ掛けることで、固定具を引き抜くのも容易である。
【図面の簡単な説明】
【００２３】
【図１】図２（ａ）の一部を拡大した正面図である。
【図２】ラックとして用いられる家具の一実施形態を示しており、（ａ）は正面図、（ｂ）は側面図である。
【図３】中空押出パネルの断面図である。
【図４】中空押出パネルの連結手順を示す斜視図である。
【図５】中空押出パネルの連結状態を示す断面図である。
【図６】（ａ）はパネルを２枚連結するのに用いられる連結具の断面図であり、（ｂ）はパネルを３枚連結するのに用いられる連結具の断面図であり、（ｃ）はパネルを４枚連結するのに用いられる連結具の断面図であり、（ｄ）はパネルを５枚連結するのに用いられる連結具の断面図であり、（ｅ）はパネルを６枚連結するのに用いられる連結具の断面図である。
【図７】パネルと連結具との連結手順を示す斜視図である。
【図８】連結具の使用状態の他の例を示す正面図である。
【図９】本発明の家具（ラック）の形態のバリエーションの一例を示す正面図である。
【図１０】ベンチとして用いられる家具の一実施形態を示しており、（ａ）は正面図、（ｂ）は底面図である。
【図１１−１】パネルと連結具とを固定する固定具の他の実施形態を示す斜視図であって、（ａ）は固定具を挿入する前の状態、（ｂ）は固定具を挿入するときの状態を示している。
【図１１−２】（ｃ）は固定具を完全に挿入した状態、（ｂ）は固定具を引き抜くときの状態を示している。
【発明を実施するための形態】
【００２４】
以下、本発明の実施の形態を図面に基づいて説明する。図２は本発明の家具の一実施形態を示す正面図と側面図であり、図１はその一部を拡大して示す正面図である。本実施形態は、店舗等において物品を収納して展示するラックとして用いられるものであり、図２（ａ）に示すように、多数のパネル１を連結具２ａ，２ｂ，２ｃ，２ｄ，２ｅを介して正三角形１９が組み合わさったトラス状の配置で連結して構成してある。パネル１は、幅Ｗが４００ｍｍ、長さＬが６００ｍｍとなっている。
【００２５】
パネル１は、図１に示すように、同一断面形状のアルミニウム合金製の２枚の中空押出パネル３ａ，３ｂを、表裏を逆にした状態で幅方向に連結して構成してある。中空押出パネル３ａ，３ｂは、図３に示すように、幅方向の一端部に連結具２ａ，２ｂ，２ｃ，２ｄ，２ｅとの係合溝４を有し、他端部に中空押出パネル同士の連結部５を有している。連結具との係合溝４は、奥側が広くなった台形溝となっており、その溝底面に半円形の凹溝６ａが形成してある。連結部５は、パネルの表側の壁と裏側の壁のうちの一方の壁７ａのみがパネルの幅方向に突出しているとともに、４つの鉤状の係合爪８ａ，８ｂ，８ｃ，８ｄがパネルの幅方向に間隔をおいて且つパネルの厚み方向に段違い状に交互に配置してある。１番目の係合爪８ａは、他方の壁７ｂの端部を下向き曲げた形になっており、２番目の係合爪８ｂは、一方の壁７ａからパネル内側に突出する短いものとなっており、３番目の係合爪は一方の壁７ａからパネル内側に突出する長いものとなっており、４番目の係合爪８ｄは一方の壁７ａ側に寄った位置に設けてある。４番目の係合爪８ｄの根元部には、連結される相手側の中空押出パネル３ｂの一方の壁７ａの裏面に当接する突片９が設けてある。
【００２６】
パネル１は、図４（ａ）に示すように、表裏を逆にした２枚の中空押出パネル３ａ，３ｂの係合爪８ａ，８ｂ，８ｃ，８ｄを長手方向に沿って互いに係合させた後、図４（ｂ）に示すように、一方の中空押出パネル３ａの係合爪８ｃと他方の中空押出パネル３ｂの係合爪８ｃとの間に丸棒状の固定具１０を挿入して、中空押出パネル３，３が長手方向に相互にずれないように固定して構成される。固定具１０は、挿入しやすいように先端部にテーパー部１０ａを設けてある。図５は、中空押出パネル３，３の連結部を拡大した断面図であり、このようにパネルの幅方向に間隔をおいて且つパネルの厚み方向に段違い状に交互に配置した４つの係合爪８ａ，８ｂ，８ｃ，８ｄを互いに係合させていることで、連結した２枚の中空押出パネル３ａ，３ｂを連結部５でパネルの幅方向や厚み方向にずれたり、連結部５で折れ曲がったりすることがないように確実に連結できる。さらに、突片９が連結する相手側の中空押出パネルの一方の壁７ａの裏面に当接することにより、中空押出パネル３ａ，３ｂが連結部５でパネルの幅方向にずれたり折れ曲がったりすることが規制されるため、連結強度を高めている。さらに係合爪８ｃ，８ｃ間に固定具１０を打ち込むことで、中空押出パネル３，３の端部を互いに突き合わせる方向に力２０が作用するため、中空押出パネル３ａ，３ｂ同士を簡易且つ確実に固定できる。
【００２７】
連結具２ａ，２ｂ，２ｃ，２ｄ，２ｅは、アルミニウム合金の中空押出形材よりなり、図６（ａ）〜（ｅ）に示す５種類の断面形状のものを、使用する箇所によって使い分けている。図６（ａ）は、２枚のパネル１を連結する連結具２ａを示しており、パネル１の幅方向の端面が当接するパネル当接面１１が１２０°開いた形で２面形成されると共に、６０°の出隅部１２を有する形に筒状部１３が設けられ、筒状部１３の各パネル当接面１１に直角になるように、パネルの係合溝４と嵌合する突条１４が６０°の角度間隔をあけて２つ形成してある。図６（ｂ）は、３枚のパネル１を連結する連結具２ｂを示しており、パネル１の幅方向の端面が当接するパネル当接面１１が１２０°ずつ開いた形で３面形成されると共に、１２０°の出隅部１２を有する５角形に筒状部１３が設けられ、筒状部１３の各パネル当接面１１に直角になるように、パネルの係合溝４と嵌合する突条１４が６０°の角度間隔をあけて３つ形成してある。図６（ｃ）は、４枚のパネル１を連結する連結具２ｃを示しており、パネル１の幅方向の端面が当接するパネル当接面１１が１２０°ずつ開いた形で４面形成された５角形に筒状部１３が設けられ、筒状部１３の各パネル当接面１１に直角になるように、パネルの係合溝４と嵌合する突条１４が６０°の角度間隔をあけて４つ形成してある。図６（ｄ）は、５枚のパネル１を連結する連結具２ｄを示しており、パネル１の幅方向の端面が当接するパネル当接面１１が１２０°ずつ開いた形で５面形成されると共に、１２０°の入隅部１５を有する形に筒状部１３が設けられ、筒状部１３の各パネル当接面１１に直角になるように、パネルの係合溝４と嵌合する突条１４が６０°の角度間隔をあけて５つ形成してある。図６（ｅ）は、６枚のパネル１を連結する連結具２ｅを示しており、パネル１の幅方向の端面が当接するパネル当接面１１が１２０°ずつ開いた形で６面形成された正六角形に筒状部１３が設けられ、筒状部１３の各パネル当接面１１に直角になるように、パネルの係合溝４と嵌合する突条１４が６０°の角度間隔をあけて６つ形成してある。各突条１４の先端面には、半円形の凹溝６ｂが形成してある。
【００２８】
パネル１と連結具２ａ，２ｂ，２ｃ，２ｄ，２ｅとは、図７（ａ）に示すように、パネル１の係合溝４と連結具２ａ，２ｂ，２ｃ，２ｄ，２ｅの突条１４とを長手方向に沿って係合させた後、図７（ｂ）に示すように、パネル側の凹溝６ａと連結具側の凹溝６ｂとが合わさって形成される穴１６に止めネジ１７をねじ込むことにより、長手方向に相互にずれないように固定される。
【００２９】
連結具２ａ，２ｂ，２ｃ，２ｄ，２ｅは、必ずしもパネル１の連結数に応じて図７（ａ）〜（ｅ）の５種類の連結具２ａ，２ｂ，２ｃ，２ｄ，２ｅを厳密に使い分ける必要はなく、例えば図８に示すように、２枚のパネル１を連結する箇所に、突条１４を４つ有する連結具２ｃを使用することもできる。このようにすれば連結具２ａ，２ｂ，２ｃ，２ｄ，２ｅの種類を減らすことができるし、また余っている突条１４を利用して後からパネル１を追加で連結することができる。
【００３０】
図９（ａ）〜（ｅ）は、本発明の家具（ラック）の形態のバリエーションの一例を示している。このように本発明の家具は、正三角形１９の基本要素を上下方向や左右方向に任意数組合わせて、多種多様の形態に構築できる。これらの家具は、パネル１を正三角形１９が連なるトラス状の配置で連結してあることで、横方向からの力が加わっても変形し難く、またパネル１上に重いものを載せても荷重が分散するので、強度の高い頑丈なものとなる。
【００３１】
図１０は、本発明の家具をベンチとして利用する場合の例を示している。この場合には、パネル１を縦向きの姿勢で連結具２ａ，２ｂ，２ｃ，２ｄ，２ｅを介して平面的に連結した上で、上面に座板１８を載せて構成される。座板１８は、一体的なものでもよいし、正三角形１９毎に分割されたものであってもよい。ベンチとして利用する場合でも、ラックの場合と同様に、平面視で図９（ａ）〜（ｅ）に示すような様々な形態に組み立てることができる。
【００３２】
図１１−１，図１１−２は、パネル１と連結具２ａ，２ｂ，２ｃ，２ｄ，２ｅとを固定する固定具２３の他の実施形態を示している。この固定具２３は、図１１−１（ａ）に示すように、針金をＵ字状に曲げて形成したものであり、２本の足部２１ａ，２１ｂの長さを違わせてあると共に、挿入前の幅寸法Ｗがパネル側の凹溝６ａと連結具側の凹溝６ｂとが合わさって形成される穴１６の大きさよりも大きいものとなっている。
この固定具２３は、図１１−１（ｂ）に示すように、長い方の足部２１ａのみを先に穴１６に挿入して引っ掛け、開放端側を狭めるように変形させながら、指で簡単に穴１６に押し込むことができる。
固定具２３は、家具の使用状態においては、図１１−２（ｃ）に示すように、穴１６内に完全に挿入され、固定具２３が穴１６内で突っ張る弾性力により、パネル１の係合溝４のハの字状となった傾斜面に連結具２ａ，２ｂ，２ｃ，２ｄ，２ｅの突条１４が圧接するため、パネル１と連結具２ａ，２ｂ，２ｃ，２ｄ，２ｅとが長手方向に相互にずれるのを確実に防止できる。
この固定具２３は、図１１−２（ｄ）に示すように、先の尖った工具２２やドライバー等の工具を固定具２３のＵ字状に曲がった部分に引っ掛けることで容易に引き抜くことができ、これにより家具の分解も容易に行える。
【００３３】
本発明は以上に述べた実施形態に限定されない。パネルと連結具の材質、断面形状は適宜変更することができる。パネルと連結具とを固定する固定具は、ネジの代わりにピンを用いることもできる。連結具は、必ずしも２ａ，２ｂ，２ｃ，２ｄ，２ｅの５種類全部を有しなくてもよい。本発明の家具は、３枚のパネルで正三角形を形作るものに限らず、３枚のパネルで二等辺三角形や直角三角形を形作るものであってもよい。また本発明の家具は、３枚のパネルを連結しただけの三角形単独のものも含む。
【符号の説明】
【００３４】
１  パネル
２ａ，２ｂ，２ｃ，２ｄ，２ｅ  連結具
３ａ，３ｂ  中空押出パネル
４  係合溝（係合部）
５  連結部
６ａ，６ｂ  凹溝
７ａ  一方の壁
７ｂ  他方の壁
８ａ，８ｂ，８ｃ，８ｄ  係合爪
９  突片（当接部）
１０  固定具
１４  突条（被係合部）
１６  穴（空間）
１７  止めネジ（固定具）
１９  正三角形（三角形）
２１ａ，２１ｂ  足部
２３  固定具
Ｗ  挿入前の幅寸法
Ｄ  穴（空間）の大きさ
【図１】
2010110611.tif 000003
【図２】
2010110611.tif 000004
【図３】
2010110611.tif 000005
【図４】
2010110611.tif 000006
【図５】
2010110611.tif 000007
【図６】
2010110611.tif 000008
【図７】
2010110611.tif 000009
【図８】
2010110611.tif 000010
【図９】
2010110611.tif 000011
【図１０】
2010110611.tif 000012
【図１１−１】
2010110611.tif 000013
【図１１−２】
2010110611.tif 000014